(57)【要約】      （修正有）【課題】紙１枚を仕切ることが可能な仕切用保持金具を提供する。【解決手段】棚１００に装着され、棚の正面から視て左右の空間を仕切る仕切板を、装着する仕切用金具１であって、弾性変形可能な棒状体が屈曲されることで形成され、金属系の棚１００に取り付ける場合は、小口の金属の厚さと同じ厚さの、スペーサーを反対側へ共に配置し、帯状ナット９とボルト１２で装着する、木質系の棚に取り付ける場合は、木ネジで棚に装着する、棚の正面から視て、左側を形成する左部金具２の端部には、仕切板止部４を設け、右側を形成する右部金具３の端部には、ラベル取付部５を備え、左部金具と右部金具の中央部を、棚の小口にボルト又は木ネジで装着し、左部金具と右部金具とで、仕切板を狭持する。【選択図】図２
0003219174.tif 000002
【実用新案登録請求の範囲】
【請求項１】
ネジで棚１００に装着され、棚1００の正面から視て左右の空間を仕切る仕切板１０を、装着する仕切用金具１であって、
弾性変形可能な棒状体が屈曲されることで形成され、
金属系の棚１００に取り付ける場合、帯状ナット９とスペーサー８は、小口の金属の厚さと同じ厚さの、スペーサー８を反対側へ共に配置し、ボルト１１で締めつけて装着する、
木質系の棚１００に取り付ける場合、木ネジ１０で棚1００に装着する、
棚の正面から視て、左側を形成する左部の端部には、仕切板止部４を設け、     
棚の正面から視て、右側を形成する右部と端部には、ラベル係部５を備え、
左部と右部の中央部に連なり、中央部において、棚1００の小口に木ネジ１０で装着され、
左部２と右部３とで、仕切板１０を狭持する仕切用金具１。
【考案の詳細な説明】
【技術分野】
【０００１】
仕切用金具に関する。
【背景技術】
【０００２】
従来の仕切では紙１枚を仕切ることが出来なかった。
【考案の概要】
【考案が解決しようとする課題】
【０００３】
本考案は、紙１枚を仕切ることが可能な仕切用保持金具を提供する。
【課題を解決するための手段】
【０００４】
ネジで棚１００に装着され、棚１００棚1００の正面から視て左右の空間を仕切る仕切板１０を、装着する仕切用金具１であって、
弾性変形可能な棒状体が屈曲されることで形成され、
金属系の棚１００に取り付ける場合、帯状ナット９とスペーサー８は、小口の金属の厚さと同じ厚さの、スペーサー８を反対側へ共に配置し、ボルト１１で締めつけて装着する、
木質系の棚１００に取り付ける場合、木ネジ１０で棚1００に装着する、
棚１００の正面から視て、左側を形成する左部２の端部には、仕切板止部4を設け、
棚１００の正面から視て、右側を形成する右部３の端部には、ラベル係部５を備え、
左部２と右部３の中央部に連なり、中央部において、棚1００小口に装着され、
左部２と右部３とで、仕切板１０を狭持する仕切用金具１。
【考案の効果】
【０００５】
仕切板の新設により、紙１枚から、棚間の整理整頓に有効である。
【図面の簡単な説明】
【０００６】
【図１】本考案の金属系棚に、実施形態を示す全体図であって、狭持金具を取り付けた状況を、説明する斜視図である。
【図２】本考案の金属系棚に、狭持金具を取り付けた状況を示す部分の、拡大した斜視図である。
【図３】本考案の木質系棚に、実施形態を示す全体図であって、狭持金具を取り付けた状況を、説明する斜視図である。
【図４】本考案の木質系棚に、狭持金具を取り付けた状況を示す部分の、拡大した斜視図である
【図５】金属系棚に仕切用金具を、取付た状態の、左側面図。
【図６】金属系棚に仕切用金具を、取付た状態の、中央正面図。
【図７】金属系棚に仕切用金具を、取付た状態の、右側面図。
【図８】木質系棚に仕切用金具を、取付た状態を示す、左側面図。
【図９】木質系棚に仕切用金具を、取付た状態を示す、中央部正面図。
【図１０】木質金属系棚に仕切用金具を、取付た状態の、右側面図。
【図１１】仕切用金具を取付た状態の、各部位を展開した、展開図。
【考案を実施するための形態】
【０００７】
仕切用金具１は、ネジで棚１００に装着され、棚１００棚1００の正面から視て左右の空間を仕切る仕切板１０を、装着する仕切用金具１であって、
弾性変形可能な棒状体が屈曲されることで形成され、
金属系の棚１００に取り付ける場合、帯状ナット９とスペーサー８は、小口の金属の厚さと同じ厚さの、スペーサー８を反対側へ共に配置し、ボルト１１で締めつけて装着する、
木質系の棚１００に取り付ける場合、木ネジ１０で棚1００に装着する、
棚１００の正面から視て、左側を形成する左部２の端部には、仕切板止部4を設け、
棚１００の正面から視て、右側を形成する右部３の端部には、ラベル係部５を備え、
左部２と右部３の中央部に連なり、中央部において、棚1００小口に装着され、
左部２と右部３とで、仕切板１０を狭持する。
【０００８】
仕切用の左部金具２と右部金具３は、仕切板１０を狭持する、仕切用金具１の一部である。
【０００９】
仕切板止部４は、左部金具２の左端部分に共設する。
【００１０】
ラベル取付部５は、右部金具３の右端部分に共設する。    
【００１１】
仕切用金具１を金属系の棚１００に取り付ける場合は、図1、図２及び図５〜図７に示すように仕切用金具１を、帯状ナット９で棚１００を挟み、ボルト１１で締める。
【００１２】
仕切用金具１を、木質系の棚１００に取り付ける場合は、図３、図４及び図８〜図１０に示すように、木ネジ１０で締める。
【００１３】
帯状ナット９とスペーサー８は、金属系の棚１００に取り付ける場合、金属系と同厚のスペーサー８を、反対側へ挟み、ボルト１１で締めつける時に用いる。
【符号の説明】
【００１４】
１        仕切用金具    
２        左部金具
３        右部金具    
４        仕切板止部    
５        ラベル取付部
６        ラベル
７        仕切板
８      スペーサー
９      帯状ナット
１０    木ネジ
１１    ボルト
１００    棚  
【図１】
0003219174.tif 000003
【図２】
0003219174.tif 000004
【図３】
0003219174.tif 000005
【図４】
0003219174.tif 000006
【図５】
0003219174.tif 000007
【図６】
0003219174.tif 000008
【図７】
0003219174.tif 000009
【図８】
0003219174.tif 000010
【図９】
0003219174.tif 000011
【図１０】
0003219174.tif 000012
【図１１】
0003219174.tif 000013
【手続補正書】
【提出日】平成30年10月11日(2018.10.11)
【手続補正１】
【補正対象書類名】実用新案登録請求の範囲
【補正対象項目名】全文
【補正方法】変更
【補正の内容】
【実用新案登録請求の範囲】
【請求項１】
ネジで棚１００に装着され、棚1００の正面から視て左右の空間を仕切る仕切板１を、装着する仕切用金具１であって、
弾性変形可能な棒状体が屈曲されることで形成され、
棚1００の正面から視て、左側を形成する左部金具２と、
棚1００の正面から視て、右側を形成する右部金具３と、を備え、
左部金具２と右部金具３とは、それぞれ中央部に連なり、中央部において、棚1００の小口に装着され、
左部金具２と右部金具３とで、仕切板１０を狭持する仕切用金具１。